【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
骨材中の粘土の影響を緩和する方法であって、
複数の骨材に含まれる粘土に、該骨材中に含まれる粘土の乾燥重量に基づき、０．１重量％〜１００重量％の水溶性の官能化ポリアミンを導入することを含んでなり、該水溶性の官能化ポリアミンは
以下の構造式（Ａ）から（Ｃ）により表される少なくとも１つのアミン化合物を、以下の構造式（Ｄ）により表されるエポキシ化合物と反応させることにより形成される水溶性ポリアミンを含んでなり：
【化１】
2015513515.tif 000001
［式中、Ｒ1〜Ｒ12はそれぞれ独立して水素またはＣ1〜Ｃ3アルキル基を表し；“ｍ”および“ｎ”はそれぞれ独立して１〜６の整数を表し；“Ｘ”は塩素、臭素、ヨウ素原子またはそれらの混合を表し；そして該アミン化合物の窒素に結合している水素に対する該エポキシ化合物のエポキシ基のモル比が５０：５０〜７５：２５である］、
該水溶性ポリアミンが：以下の構造式（Ｅ）および（Ｆ）により表されるハロゲン化化合物；以下の構造式（Ｇ）により表される硫酸塩化合物；以下の構造式（Ｈ）により表されるエポキシ化合物；以下の構造式（Ｉ）により表されるジハロゲン化化合物；
【化２】
2015513515.tif 000002
［式中、Ｒ13〜Ｒ16はそれぞれ独立してＣ1〜Ｃ16アルキル基を表し；Ｒ17は水素、Ｃ1〜Ｃ5アルキル、ヒドロキシアルキル、アルキレンまたはアリール基を表し；Ｒ18はＣ1〜Ｃ3アルキル基を表し；Ｒ19は直鎖、分岐もしくは環式のＣ1〜Ｃ10アルキレンまたはアリーレン基を表し；“Ｘ”は塩素、臭素、ヨウ素原子またはそれらの混合を表し；“Ｙ-”はクロライド、ブロミドまたはヨージドアニオンを表し；そして“ｐ”は１〜１６の整数を表す、
または、構造式（Ｅ）の化合物は塩化アリルもしくは塩化ベンジルであり、
または、構造式（Ｆ）の化合物は３−クロロ−２−ヒドロキシプロピルジメチルステアリルアンモニウムクロライドもしくは３−クロロ−２−ヒドロキシプロピルジメチルココアルキルアンモニウムクロライドである］
の上記化合物から選択される少なくとも１つの官能化剤を使用して官能化されており、そして
該ポリアミン対該官能化剤の乾燥重量比が９９．５：０．５〜７５：２５である上記方法。
【請求項２】
上記骨材が、モルタル骨材、コンクリート骨材、アスファルト骨材および路盤材から選択される請求項１に記載の方法。
【請求項３】
上記水溶性官能化ポリアミンが、該骨材に含まれる粘土の乾燥重量に基づき、１重量％〜５０重量％の量で複数の骨材に含まれる粘土に導入される請求項１に記載の方法。
【請求項４】
上記水溶性官能化ポリアミンが、該骨材に含まれる粘土の乾燥重量に基づき、２重量％〜２５重量％の量で複数の骨材に含まれる粘土に導入される請求項１に記載の方法。
【請求項５】
上記アミン化合物が構造式（Ａ）により表され、そしてアンモニア、メチルアミン、エチルアミン、プロピルアミン、ジメチルアミン、ジエチルアミン、ジプロピルアミン、メチルエチルアミン、メチルプロピルアミン、エチルプロピルアミン、またはそれらの混合物を含んでなる請求項１に記載の方法。
【請求項６】
上記アミン化合物がジメチルアミンである請求項５に記載の方法。
【請求項７】
上記アミン化合物が構造式（Ｂ）により表され、そしてエチレンジアミン、１，３−プロピレンジアミン，１，４−ブチレンジアミン，１，５−ペンタメチレンジアミン，１，６−ヘキサメチレンジアミンまたはそれらの混合物を含んでなる請求項１に記載の方法。
【請求項８】
上記アミン化合物がエチレンジアミン、ヘキサメチレンジアミンまたはそれらの混合物を含んでなる請求項７に記載の方法。
【請求項９】
上記アミン化合物が構造式（Ｃ）により表され、そしてジエチレントリアミン、トリエチレンテトラアミン、テトラエチレンペンタミンまたはそれらの混合物を含んでなる請求項１に記載の方法。
【請求項１０】
上記アミン化合物がテトラエチレンペンタミンである請求項９に記載の方法。
【請求項１１】
上記アミン化合物が９９．９：０．１〜９０：１０のモル比のジメチルアミンとエチレンジアミンとの混合物である請求項１に記載の方法。
【請求項１２】
上記アミン化合物が９９．９：０．１〜９２：８のモル比のジメチルアミンとテトラエチレンペンタミンとの混合物である請求項１に記載の方法。
【請求項１３】
上記アミン化合物が、エピクロロヒドリン、エピブロモヒドリン、エピヨードヒドリンまたはそれらの混合物を含んでなるエポキシ化合物と反応させられる請求項１に記載の方法。
【請求項１４】
上記エポキシ化合物がエピクロロヒドリンである請求項１に記載の方法。
【請求項１５】
上記水溶性ポリアミンが、構造式（Ｅ）により表される上記ハロゲン化化合物を使用して官能化され、該ハロゲン化化合物が塩化メチル、塩化エチル、塩化プロピル、塩化アリル、塩化ベンジルまたはそれらの混合物を含んでなる請求項１に記載の方法。
【請求項１６】
上記ハロゲン化化合物が、塩化メチル、塩化ベンジルまたはそれらの混合物を含んでなる請求項１５に記載の方法。
【請求項１７】
上記水溶性ポリアミンが、構造式（Ｆ）により表される上記ハロゲン化化合物を使用して官能化され、該ハロゲン化化合物が３−クロロ−２−ヒドロキシプロピルトリメチルアンモニウムクロライド、３−クロロ−２−ヒドロキシプロピルラウリルジメチルアンモニウムクロライド、３−クロロ−２−ヒドロキシプロピルジメチルステアリルアンモニウムクロライド、３−クロロ−２−ヒドロキシプロピルジメチルココアルキルアンモニウムクロライド、またはそれらの混合物を含んでなる請求項１に記載の方法。
【請求項１８】
上記ハロゲン化化合物が３−クロロ−２−ヒドロキシプロピルトリメチルアンモニウムクロライドである請求項１７に記載の方法。
【請求項１９】
上記水溶性ポリアミンが、構造式（Ｇ）により表される硫酸塩化合物を使用して官能化され、該硫酸塩化合物がジメチルサルフェート、ジエチルサルフェート、メチルエチルサルフェート、メチルプロピルサルフェートまたはそれらの混合物を含んでなる、請求項１に記載の方法。
【請求項２０】
上記硫酸塩化合物がジメチルサルフェートである請求項１９に記載の方法。
【請求項２１】
上記水溶性ポリアミンが、構造式（Ｈ）により表されるエポキシ化合物を使用して官能化され、該エポキシ化合物がグリシジルトリメチルアンモニウムクロライド、グリシジルトリエチルアンモニウムクロライド、グリシジルジメチルプロピルアンモニウムクロライド、グリシジルジメチルヘキシルアンモニウムクロライド、グリシジルジプロピルデシルアンモニウムブロミド、グリシジルジメチルラウリルアンモニウムクロライド、またはそれらの混合物を含んでなる請求項１に記載の方法。
【請求項２２】
構造式（Ｈ）により表される上記エポキシ化合物がグリシジルトリメチルアンモニウムクロライドである請求項１に記載の方法。
【請求項２３】
上記水溶性ポリアミンが、構造式（Ｉ）により表されるジハロゲン化化合物を使用して官能化され、該ジハロゲン化化合物がジクロロエタン、ジブロモブタン、ジクロロベンゼン、１−ブロモ−４−クロロベンゼンまたはそれらの混合物を含んでなる請求項１に記載の方法。
【請求項２４】
上記ジハロゲン化化合物がジクロロエタンまたは１−ブロモ−４−クロロベンゼンである請求項２３に記載の方法。
【請求項２５】
上記ポリアミン対上記官能化剤の上記重量比が、９９：１〜８５：１５である請求項１に記載の方法。
【請求項２６】
上記水溶性ポリアミン対上記官能化剤の上記重量比が、９９：１〜９０：１０である請求項２５に記載の方法。
【請求項２７】
上記水溶性の官能化ポリアミンが、５０重量％の水溶液で、Ｂｒｏｏｋｆｉｅｌｄ粘度計モデルＤＶ−ＩＩ＋、スピンドルＬＶ−１を用いて６０ｒｐｍ、２５℃で測定した時に２〜５００センチポイズのＢｒｏｏｋｆｉｅｌｄ粘度を有する請求項１に記載の方法。
【請求項２８】
請求項１に記載の方法により提供される骨材組成物。
【請求項２９】
骨材組成物であって：
天然および／または人工の砂、砕石、玉砕、砕岩、砕頁岩またはそれらの混合物の群から選択される複数の粘土含有骨材；および、
該骨材に含まれる粘土の乾燥重量に基づき、０．１重量％〜１００重量％の水溶性の官能化ポリアミンを含んでなり、該水溶性の官能化ポリアミンは
以下の構造式（Ａ）から（Ｃ）により表される少なくとも１つのアミン化合物を、以下の構造式（Ｄ）により表されるエポキシ化合物と反応させることにより形成される水溶性ポリアミンを含んでなり：
【化３】
2015513515.tif 000003
［式中、Ｒ1〜Ｒ12はそれぞれ独立して水素またはＣ1〜Ｃ3アルキル基を表し；“ｍ”および“ｎ”はそれぞれ独立して１〜６の整数を表し；“Ｘ”は塩素、臭素、ヨウ素原子またはそれらの混合を表し；そして該アミン化合物の窒素対該エポキシ化合物のエポキシ基に結合している水素のモル比が５０：５０〜７５：２５である］；
該水溶性ポリアミンが：以下の構造式（Ｅ）および（Ｆ）により表されるハロゲン化化合物；以下の構造式（Ｇ）により表される硫酸塩化合物；以下の構造式（Ｈ）により表されるエポキシ化合物；および以下の構造式（Ｉ）により表されるジハロゲン化化合物；
【化４】
2015513515.tif 000004
［式中、Ｒ13〜Ｒ16はそれぞれ独立してＣ1〜Ｃ16アルキル基を表し；Ｒ17は水素、Ｃ1〜Ｃ5アルキル、ヒドロキシアルキル、アルキレンまたはアリール基を表し；Ｒ18はＣ1〜Ｃ3アルキル基を表し；Ｒ19は直鎖、分岐もしくは環式のＣ1〜Ｃ10アルキレンまたはアリーレン基を表し；“Ｘ”は塩素、臭素、ヨウ素原子またはそれらの混合を表し；“Ｙ-”はクロライド、ブロミドまたはヨージドアニオンを表し；そして“ｐ”は１〜１６の整数を表す、
または、構造式（Ｅ）の化合物は塩化アリルもしくは塩化ベンジルであり、
または、構造式（Ｆ）の化合物は３−クロロ−２−ヒドロキシプロピルジメチルステアリルアンモニウムクロライドもしくは３−クロロ−２−ヒドロキシプロピルジメチルココアルキルアンモニウムクロライドである］
の上記化合物から選択される少なくとも１つの官能化剤を使用して官能化されており、そして
該ポリアミン対該官能化剤の乾燥重量比が９９：１〜７５：２５である、上記組成物。
【請求項３０】
水和性セメントを請求項２９に記載の上記骨材組成物と合わせることを含んでなる、水和性セメント状組成物の改良法。
【請求項３１】
上記水溶性官能化ポリアミンが、該骨材に含まれる粘土の乾燥重量に基づき、１重量％〜５０重量％の量で複数の骨材に含まれる粘土に導入される請求項２９に記載の方法。
【請求項３２】
上記水溶性官能化ポリアミンが、該骨材に含まれる粘土の乾燥重量に基づき、２重量％〜２５重量％の量で複数の骨材に含まれる粘土に導入される請求項２９に記載の方法。
【請求項３３】
骨材またはセメント状組成物の１もしくは複数の特性を改良するための混和剤組成物であって：
減水剤、凝結遅延剤、凝結促進剤、消泡剤、空気連行剤、表面活性剤およびそれらの混合物の群から選択される少なくとも１つの化学的混和剤；および
以下の構造式（Ａ）から（Ｃ）により表される少なくとも１つのアミン化合物を、以下の構造式（Ｄ）により表されるエポキシ化合物と反応させることにより形成される水溶性ポリアミンを含んでなる水溶性の官能化ポリアミン：
【化５】
2015513515.tif 000005
［式中、Ｒ1〜Ｒ12はそれぞれ独立して水素またはＣ1〜Ｃ3アルキル基を表し；“ｍ”および“ｎ”はそれぞれ独立して１〜６の整数を表し；“Ｘ”は塩素、臭素、ヨウ素原子またはそれらの混合を表し；そして該アミン化合物の窒素に結合している水素に対する該エポキシ化合物のエポキシ基のモル比が５０：５０〜７５：２５である］
を含んでなり、
該水溶性ポリアミンが：以下の構造式（Ｅ）および（Ｆ）により表されるハロゲン化化合物；以下の構造式（Ｇ）により表される硫酸塩化合物；以下の構造式（Ｈ）により表されるエポキシ化合物；以下の構造式（Ｉ）により表されるジハロゲン化化合物；
【化６】
2015513515.tif 000006
［式中、Ｒ13〜Ｒ16はそれぞれ独立してＣ1〜Ｃ16アルキル基を表し；Ｒ17は水素、Ｃ1〜Ｃ5アルキル、ヒドロキシアルキル、アルキレンまたはアリール基を表し；Ｒ18はＣ1〜Ｃ3アルキル基を表し；Ｒ19は直鎖、分岐もしくは環式のＣ1〜Ｃ10アルキレンまたはアリーレン基を表し；“Ｘ”は塩素、臭素、ヨウ素原子またはそれらの混合を表し；“Ｙ-”はクロライド、ブロミドまたはヨージドアニオンを表し；そして“ｐ”は１〜１６の整数を表す、
または、構造式（Ｅ）の化合物は塩化アリルもしくは塩化ベンジルであり、
または、構造式（Ｆ）の化合物は３−クロロ−２−ヒドロキシプロピルジメチルステアリルアンモニウムクロライドもしくは３−クロロ−２−ヒドロキシプロピルジメチルココアルキルアンモニウムクロライドである］
の上記化合物から選択される少なくとも１つの官能化剤を使用して官能化されており、そして
該ポリアミン対該官能化剤の乾燥重量比が９９：１〜７５：２５である、上記混和剤組成物。
【請求項３４】
上記少なくとも１つの化学的混和剤が、リグニンスルホン酸塩、ナフタレンスルホン酸塩ホルムアルデヒド縮合物、メラミンスルホン酸塩ホルムアルデヒド縮合物、アルキレンオキシド基を含むポリカルボン酸塩櫛形ポリマー、グルコン酸塩およびそれらの混合物からなる群から選択される減水剤である請求項３３に記載の混和剤組成物。
【請求項３５】
粘土含有骨材に請求項３３に記載の混和剤組成物を導入することを含んでなる、粘土含有骨材を含む水和性セメント組成物の改良法。